(57)【要約】【課題】簡単な構造で、容易に操作することができるソケットカバーの取付け構造およびこのソケットカバーを用いた照明器具を提供する。【解決手段】被取付部１１に取り付けられる器具本体１２は、両端に直管型ランプ１４用のソケッ１３トを有し、このソケット１３を覆うソケットカバー２０を有する。ソケットカバー２０は、器具本体１２に設けられた固定金具３０の異形孔４０に、爪２５を挿入することにより取り付けられる。このとき、異形孔４０が、ソケットカバー２０をソケット１３を覆う取付位置に保持する際に、ソケットカバー２０の爪２５を係止する閉鎖溝４３と、ソケット１３を覆わない開放位置に保持する際に爪２５を係止する開放溝４４とを有する。また、ソケットカバー２０は、ソケット１３を覆う取付位置にあるときに、係止部２４が器具本体１２に設けられた取付ばね３６の挟持部３６２によって係止される。これにより、ソケットカバー２０は、簡単な構造で容易に操作できる。【選択図】図４
2014203578.tif 000002
【特許請求の範囲】
【請求項１】
直管型ランプが取り付けられる照明器具に用いられるソケットカバーの取付構造であって、
被取付部に取り付けられる器具本体と、
前記器具本体の両端部に設けられた直管型ランプ用のソケットと、
前記器具本体に設けられる固定金具と、
前記固定金具に取り付けられて前記ソケットを覆うソケットカバーと、
前記器具本体に設けられる取付ばねと
を備え、
前記固定金具は、前記ソケットが貫通する孔と、前記ソケットカバーの動きを規制する異形孔とを有し、
前記ソケットカバーは、前記取付ばねに係止される係止部と、前記固定金具の異形孔内を動く爪とを有し、
前記取付ばねは、前記ソケットカバーの係止部を弾性を持って係止する挟持部を有し、
前記異形孔が、前記ソケットカバーを取付位置に保持する際に前記爪を係止する閉鎖溝と、前記ソケットカバーを外した開放位置に保持する際に前記爪を係止する開放溝と、を有するソケットカバーの取り付け構造。
【請求項２】
請求項１に記載のソケットカバーの取付構造において、
前記異形孔が、前記爪を前記異形孔に挿入するための組立溝を有するソケットカバーの取付構造。
【請求項３】
請求項１または請求項２に記載のソケットカバーの取付構造を有する照明器具であって、
ソケットに取り付けられる直管型ランプと、直管型ランプに電力を供給する電源装置とを有する照明器具。
【発明の詳細な説明】
【技術分野】
【０００１】
本発明は、直管型ランプの両端のソケットを覆うソケットカバーの取付構造および照明器具に関するものである。
【背景技術】
【０００２】
従来、直管型ランプの両端のピンを着脱可能に支持して電力を供給するソケットを覆うことにより、直管型ランプのピンがソケットから脱落しても、直管型ランプが脱落するのを防止する照明器具が知られている（例えば、特許文献１参照）。
図１０に示すように、特許文献１に記載の照明器具１００は、器具本体１０１に設けられ、直管型ランプ（図示省略）の両端を支持して点灯電力を供給するソケット１０２を覆うソケットカバー１０３を有する。
【０００３】
器具本体１０１の端部には、エンドキャップ１０４が取り付けられている。エンドキャップ１０４は、直管型ランプの軸方向に沿って、対向する一対の掛止凸部１０５を有しており、一対の掛止凸部１０５には、ソケットカバー１０３が移動可能に取り付けられている。
ソケットカバー１０３は、エンドキャップ１０４に取り付けられて、ソケット１０２を覆うカバー位置と、ソケットカバー１０３を露出させる退避位置との間を移動可能となっている。
【０００４】
しかしながら、ソケットカバー１０３は、退避位置に移動する際には、直管型ランプから離れる方向へ移動するため、スペースが必要となる。
このため、照明器具１００を長手方向に連結して用いる際には、隣接する照明器具１００との境界において、直管型ランプの光がない暗部が生じるという問題があった。
【０００５】
そこで、このような問題を解決するために、器具本体に取り付けられている取付面の面方向および直管型ランプの径方向に対して平行な軸線を中心として、回動可能なソケットカバーが考えられている。
このようなソケットカバーでは、カバーの両側面に設けられた一対のボタンを同時に押すことにより、カバーの係合が解除されて回動可能となる。
【先行技術文献】
【特許文献】
【０００６】
【特許文献１】特開平８−１１１１１０号公報（第４図）
【発明の概要】
【発明が解決しようとする課題】
【０００７】
しかしながら、前述したような回動可能なソケットカバーにおいては、一対のボタンを同時に押すことによりカバーの係合を解除する構造であるため、部品点数が多くなるとともに構造が複雑になり、製造コストが高くなるという問題があった。
また、一対のボタンを同時に押さなければならないため、操作性に問題があった。
【０００８】
本発明は、従来の問題を解決するためになされたもので、簡単な構造で、容易に操作することができるソケットカバーの取付け構造および照明器具を提供することを目的とする。
【課題を解決するための手段】
【０００９】
本発明のソケットカバーの取付構造は、直管型ランプが取り付けられる照明器具に用いられるソケットカバーの取付構造であって、被取付部に取り付けられる器具本体と、前記器具本体の両端部に設けられた直管型ランプ用のソケットと、前記器具本体に設けられる固定金具と、前記固定金具に取り付けられて前記ソケットを覆うソケットカバーと、前記器具本体に設けられる取付ばねとを備え、前記固定金具は、前記ソケットが貫通する孔と、前記ソケットカバーの動きを規制する異形孔とを有し、前記ソケットカバーは、前記取付ばねに係止される係止部と、前記固定金具の異形孔内を動く爪とを有し、前記取付ばねは、前記ソケットカバーの係止部を弾性を持って係止する挟持部を有し、前記異形孔が、前記ソケットカバーを取付位置に保持する際に前記爪を係止する閉鎖溝と、前記ソケットカバーを外した開放位置に保持する際に前記爪を係止する開放溝と、を有するものである。
【００１０】
また、本発明のソケットカバーの取付構造は、前記異形孔が、前記爪を前記異形孔に挿入するための閉鎖溝を有するものである。
【００１１】
さらに、本発明の照明器具は、前記ソケットカバーの取付構造を有する照明器具であって、ソケットに取り付けられる直管型ランプと、直管型ランプに電力を供給する電源装置とを有するものである。
【発明の効果】
【００１２】
本発明は、ソケットカバーの爪を固定金具の異形孔の閉鎖溝に挿入して、係止部を取付ばねの挟持部により係止することにより、取り付けられる。また、ソケットカバーの爪を異形孔の閉鎖溝から取り出して、開放溝に挿入することにより、ソケットカバーを開放した状態に保持することができる。これにより、簡単な構造で、容易に操作することができるという効果を有するソケットカバーの取付構造および照明器具を提供できる。
【図面の簡単な説明】
【００１３】
【図１】（Ａ）は本発明に係る実施形態の照明器具の正面図であり、（Ｂ）は平面図であり、（Ｃ）は底面図であり、（Ｄ）は側面図
【図２】ソケットカバーによりソケットを覆った状態の側面図
【図３】ソケットを覆うソケットカバーを開けた状態の側面図
【図４】開いた状態のソケットカバーを下方から見た斜視図
【図５】（Ａ）は固定金具の平面図であり、（Ｂ）は（Ａ）中Ｂ方向から見た正面図であり、（Ｃ）は（Ａ）中Ｃ方向から見た側面図
【図６】異形孔の拡大説明図
【図７】（Ａ）は取付ばねの正面図であり、（Ｂ）は（Ａ）中Ｂ方向から見た底面図であり、（Ｃ）は（Ａ）中Ｃ方向から見た側面図
【図８】（Ａ）はソケットカバーの平面図であり、（Ｂ）は（Ａ）中Ｂ方向から見た正面図であり、（Ｃ）は（Ａ）中Ｃ方向から見た左側面図であり、（Ｄ）は（Ａ）中Ｄ方向から見た右側面図
【図９】（Ａ）は直管型ランプの交換作業を行うためにソケットカバーを開ける動作を示す側面図であり、（Ｂ）はソケットカバーを開けて直管型ランプを外す動作を示す側面図
【図１０】従来の照明器具におけるソケットカバーを示す分解斜視図
【発明を実施するための形態】
【００１４】
以下、本発明に係る実施形態のソケットカバーの取付構造および照明器具について、図面を用いて説明する。
図１に示すように、本発明に係る実施形態の照明器具１０は、例えば天井面に取り付けられた被取付部である配線ダクト１１に取り付けて、下方を照明するのに用いることができる。あるいは、直接天井面に取り付けて下方を照明するのに用いることも可能である。
なお、以下の説明においては、照射方向を下方（下側）、照射方向の反対方向を上方（上側）と云うこととする（図１（Ａ）参照）。
また、図１においては、１個の照明器具１０を図示しているが、長手方向に連続して設けて使用することもできる。
【００１５】
照明器具１０は、配線ダクト１１に取り付けられる例えば矩形箱状の器具本体１２を有する。器具本体１２の下面は反射板１２１となっており、反射板１２１における長手方向両端部には、所定間隔で対向する例えば直管型ＬＥＤのような直管型ランプ１４用のソケット１３が設けられている。
器具本体１２の上板１２２の下面には、電源装置１７および端子台１８が設けられており、電源装置１７と端子台１８とは電気的に接続されている。端子台１８は、配線ダクト１１内に配線された商用電源線（図示省略）が接続される。
電源装置１７は、ソケット１３に電気的に接続されており、直管型ランプ１４の点灯電力を供給する。
【００１６】
図２および図３に示すように、ソケット１３は、後述する開閉可能なソケットカバー２０によって覆われている。
ソケット１３は、直管型ランプ１４の口金１５に設けられているピン１６を着脱可能に支持して、点灯電力を供給する。
【００１７】
器具本体１２の反射板１２１下面には、ソケット１３位置に固定金具３０が取り付けられている。
図４および図５に示すように、固定金具３０は、平板状のベース３１と、ベース３１の左右両端部から下方に曲げ下ろされた一対の側板３２、３２を有し、断面コ字状を呈している。
矩形状のベース３１には、中央部にソケット１３が貫通する孔３３が設けられている。また、ベース３１には、ねじ３５用の貫通孔３４が複数個設けられている。ベース３１は、後述するようにソケットカバー２０を側板３２に取り付けた後に、ねじ３５によって反射板１２１に固定される。
固定金具３０の側板３２には、ソケットカバー２０の動きを規制する異形孔４０が設けられている。
【００１８】
図６に示すように、側板３２に設けられている異形孔４０は、中央にソケットカバー２０を移動可能に保持する台形状の保持開口４１を有する。保持開口４１の直管型ランプ１４の中央側（図６において右側）の側面４１３は、上側が下側によりも中央側に位置するように傾斜している。
保持開口４１は、側板３２の上端に開口する閉鎖溝４３を有する。閉鎖溝４３は、ソケットカバー２０を固定金具３０に取り付ける際に用いられる。
保持開口４１は、保持開口４１の上面４１１を中央側に延長して形成される閉鎖溝４３を有する。
また、保持開口４１は、保持開口４１の下面４１２を中央側下方に延長して形成される開放溝４４を有する。
【００１９】
図２および図３に示すように、固定金具３０の中央側（図２および図３において右側）には、取付ばね３６が取り付けられている。
図７に示すように、取付ばね３６は、細幅の板状をしたばね部材であり、中央部に取付用の貫通孔３６３を有していて、ねじ３７（図２および図３参照）によって反射板１２１の下面に取り付けられる。
【００２０】
取付ばね３６の左右両端部は、下方にＶ字形状に折曲げ加工された弾性変形部３６１を有する。弾性変形部３６１の先端は、ソケットカバー２０を挟持する挟持部３６２となっている。挟持部３６２は、先端の両隅がカットされて、外側に向かって先細り形状となっている。左右の挟持部３６２、３６２の間隔Ｄ１は、固定金具３０の左右の側板３２、３２の内面間隔Ｄ２よりも小さめとなっている。
また、挟持部３６２は、無負荷状態では反射板１２１の下面に当接するか近傍に位置するが、下方へ弾性変形可能となっている。
【００２１】
図８に示すように、ソケットカバー２０は、半長円形状のカバー本体２１と、カバー本体２１の一方の端面（図８（Ａ）において左端面）を覆う端板２２を有する。従って、他方の端面（図８（Ａ）において右端面）は、開口（開口２３）している。
カバー本体２１の両上端部は内側に折曲げられて、リブ（係止部）２４が形成されている。左右のリブ２４の先端同士の間隔（実間隔）Ｄ３は、固定金具３０の両側板３２、３２の外面間隔Ｄ４よりも若干大きく、かつ、取付ばね３６の左右の挟持部３６２、３６２の間隔Ｄ１よりも小さい。
リブ２４の中央側端部（図８（Ａ）において右端部）は、ソケットカバー２０を固定金具３０に取り付けてソケット１３を覆った状態で、取付ばね３６の挟持部３６２と反射板１２１の下面との間に挟持されて固定される。
【００２２】
ソケットカバー２０の両外側端部付近におけるリブ２４の下方には、爪２５、２５が内側に向かって水平に突出して取り付けられている。爪２５の先端は、リブ２４の先端よりも内側に突出している（図８（Ａ）参照）。さらに、左右の爪２５、２５の先端の間隔Ｄ５は、固定金具３０の左右の側板３２、３２の内面の間隔Ｄ２よりも大きい。
爪２５は、断面Ｌ字形状の部材を、ソケットカバー２０の内面に取り付けることにより設けることができる。
爪２５は、固定金具３０の異形孔４０に挿入されることにより、ソケットカバー２０を固定金具３０に対して移動可能（開閉可能）に保持する。
【００２３】
次に、本発明に係る実施形態のソケットカバーの取付構造および照明器具１０の動作について説明する。
最初に、ソケットカバー２０を照明器具１０に取り付ける作業について説明する。
まず、ソケットカバー２０を固定金具３０に取り付ける。ソケットカバー２０の左右のリブ２４、２４の間隔Ｄ３（図８（Ａ）参照）は、固定金具３０の左右の側板３２、３２の外面間隔Ｄ４（図４参照）よりも大きいので、ソケットカバー２０を固定金具３０の外側に取り付けることができる。
また、ソケットカバー２０の左右の爪２５、２５の間隔Ｄ５（図８（Ａ）参照）は、固定金具３０の左右の側板３２、３２の外面間隔Ｄ４（図４参照）よりも小さいので、爪２５を、固定金具３０の組立溝４２を通って異形孔４０に挿入する。
これにより、ソケットカバー２０を固定金具３０に取り付けることができる。
【００２４】
ソケットカバー２０を固定金具３０に取り付けて開けた状態（図３および図４の状態）で、直管型ランプ１４が取り付けられていないソケット１３を、固定金具３０のベース３１の孔３３に挿入する。
そして、固定金具３０のベース３１を、ねじ３５で反射板１２１の下面に取り付ける。
なお、反射板１２１の下面における固定金具３０の中央側に取り付ける取付ばね３６の取付けは、固定金具３０を取り付ける前でも、後でも良い。
【００２５】
次に、ソケットカバー２０の開閉動作について説明する。
図３および図４に示すように、ソケットカバー２０を開いた状態では、ソケットカバー２０の爪２５を固定金具３０の異形孔４０の開放溝４４（図６参照）に挿入する。
これにより、ソケットカバー２０は開いた状態で保持される。
ソケットカバー２０を閉じる際には、爪２５を開放溝４４から取出し、ソケットカバー２０を閉じて中央側へスライドさせる。これにより、爪２５が異形孔４０の閉鎖溝４３に挿入される（図６参照）。同時に、ソケットカバー２０のリブ２４の中央側先端部が、取付ばね３６の挟持部３６２を弾性変形させながら潜り込み、挟持部３６２と反射板１２１との間に挟持される。
これにより、ソケットカバー２０はソケット１３を覆った状態で保持される。
【００２６】
次に、直管型ランプ１４の交換作業について説明する。
図９（Ａ）に示すように、ソケット１３を覆っているソケットカバー２０を端部側へ移動する（図９中矢印Ａ参照）。これにより、ソケットカバー２０の爪２５が、固定金具３０の異形孔４０の閉鎖溝４３から脱して、回動可能となる。
次いで、図９（Ｂ）に示すように、ソケットカバー２０を下方へ回動させて開き（図９（Ｂ）中矢印Ｂ参照）、ソケットカバー２０の爪２５を開放溝４４に挿入する。そして、ソケット１３に取り付けられている古い直管型ランプ１４を取り外す。
なお、新しい直管型ランプ１４をソケット１３に取り付けて、上述した作業を逆に行うことにより、ソケット１３をソケットカバー２０で覆って固定することができる。
【００２７】
本発明のソケットカバーの取付構造の作用効果について説明する。
配線ダクト１１に取り付けられる器具本体１２は、両端に直管型ランプ１４用のソケット１３を有し、このソケット１３を覆うソケットカバー２０を有する。ソケットカバー２０は、器具本体１２に設けられた固定金具３０の異形孔４０に、爪２５を挿入することにより移動可能に取り付けられる。
【００２８】
このとき、異形孔４０が、ソケットカバー２０をソケット１３を覆う取付位置に保持する際にソケットカバー２０の爪２５を係止する閉鎖溝４３と、ソケット１３を覆わない開放位置に保持する際に爪２５を係止する開放溝４４とを有する。また、ソケットカバー２０は、ソケット１３を覆う取付位置にあるときに、リブ２４が器具本体１２に設けられた取付ばね３６の挟持部３６２によって係止される。
【００２９】
従って、ソケットカバー２０の爪２５を固定金具３０の異形孔４０の閉鎖溝４３に挿入して、リブ２４を取付ばね３６の挟持部３６２により係止することにより、取り付けられる。また、ソケットカバー２０の爪２５を異形孔４０の閉鎖溝４３から取り出して、開放溝４４に挿入することにより、ソケットカバー２０を開放した状態に保持することができる。
これにより、簡単な構造で、容易に操作することができるソケットカバー２０の取付け構造を提供することができる。
【００３０】
また、本発明のソケットカバーの取付構造では、固定金具３０の異形孔４０は、ソケットカバー２０の爪２５を固定金具３０の異形孔４０に挿入するための組立溝４２を有するので、容易にソケットカバー２０を固定金具３０に取り付けることができる。
【００３１】
さらに、本発明の照明器具１０では、配線ダクト１１に取り付けられる器具本体１２は、両端に電源装置１７から電力を供給される直管型ランプ１４用のソケット１３を有する。ソケット１３は、ソケットカバー２０により覆われる。ソケットカバー２０は、器具本体１２に設けられた固定金具３０の異形孔４０に、爪２５を挿入することにより取り付けられる。
【００３２】
このとき、異形孔４０が、ソケットカバー２０をソケット１３を覆う取付位置に保持する際にソケットカバー２０の爪２５を係止する閉鎖溝４３と、ソケット１３を覆わない開放位置に保持する際に爪２５を係止する開放溝４４とを有する。また、ソケットカバー２０は、ソケット１３を覆う取付位置にあるときに、リブ２４が器具本体１２に設けられた取付ばね３６の挟持部３６２によって係止される。
【００３３】
従って、ソケットカバー２０の爪２５を固定金具３０の異形孔４０の閉鎖溝４３に挿入して、ソケットカバー２０のリブ２４を取付ばね３６の挟持部３６２により係止することにより、取り付けられる。また、ソケットカバー２０の爪２５を、異形孔４０の閉鎖溝４３から取り出して、開放溝４４に挿入することにより、ソケットカバー２０を開放した状態に保持することができる。
これにより、簡単な構造で、容易に操作することができるソケットカバー２０を有する照明器具１０を提供することができる。
【００３４】
本発明のソケットカバーの取付構造および照明器具は、前述した実施形態に限定されるものでなく、適宜な変形、改良等が可能である。
【符号の説明】
【００３５】
１０  照明器具
１１  配線ダクト（被取付部）
１２  器具本体
１３  ソケット
１４  直管型ランプ
１７  電源装置
２０  ソケットカバー
２４  リブ（係止部）
２５  爪
３０  固定金具
３３  孔
３６  取付ばね
３６２  挟持部
４０  異形孔
４２  組立溝
４３  閉鎖溝
４４  開放溝
【図１】
2014203578.tif 000003
【図２】
2014203578.tif 000004
【図３】
2014203578.tif 000005
【図４】
2014203578.tif 000006
【図５】
2014203578.tif 000007
【図６】
2014203578.tif 000008
【図７】
2014203578.tif 000009
【図８】
2014203578.tif 000010
【図９】
2014203578.tif 000011
【図１０】
2014203578.tif 000012